(57)【要約】【課題】結合ループによる電磁界結合量の調整をきわめて容易に行なうことができ、作業効率を著しく向上し得る同軸形帯域通過フィルタを提供する。【解決手段】ケース１１の内部を内部壁１２で２つの空間に分け、各空間の中心に中心導体１３ａ、１３ｂを設けて同軸形共振器１４ａ、１４ｂを構成する。上記内部壁１２には結合窓１７を設け、その下部に位置するケース１１に結合ループ装着用ネジ穴２１を設ける。このネジ穴２１には、結合ループ１８が予め装着されたループ台座２２を螺着する。結合ループ１８は、ループ台座２２がネジ穴２１に差し込まれた際にケース１１内に挿入されて結合窓１７の部分に位置する。ループ台座２２は、ネジ穴２１に差し込んだ状態で回転することができ、その回転によって同軸形共振器１４ａ、１４ｂから結合ループ１８を鎖交する電磁界の量を変化させ、同軸形共振器１４ａ、１４ｂ間の電磁界結合量を調整する。【選択図】    図１
2006191379.tif 000002
【特許請求の範囲】
【請求項１】
同軸形共振器を多段に接続して構成された同軸形帯域通過フィルタにおいて、各段間に対応するケース部分に設けられる結合ループ装着用ネジ穴と、前記ネジ穴に螺着されるループ台座と、前記同軸形共振器の段間に位置するように前記ループ台座により支持される結合ループとを具備し、前記結合ループを前記ループ台座と共に回転させることにより前記同軸形共振器間の結合量を調整することを特徴とする同軸形帯域通過フィルタ。
【発明の詳細な説明】
【技術分野】
【０００１】
本発明は、同軸形共振器を多段に接続して構成した同軸形帯域通過フィルタに関する。
【背景技術】
【０００２】
従来、例えばタクシー無線等の移動無線における基地局では、複数の通信機と空中線との間に空中線共用装置を設け、周波数の異なる複数チャンネルにより１つの空中線を共用している。上記空中線共用装置は、複数の帯域通過フィルタにより構成されるが、この帯域通過フィルタとしては、例えば多段同軸形帯域通過フィルタが用いられている（例えば、特許文献１参照。）。
【０００３】
従来の多段同軸形帯域通過フィルタは、図５、図６に示すように構成されている。図５は従来の同軸形帯域通過フィルタの前面側を断面して示す斜視図、図６正面方向から見た断面図である。なお、図５、図６では、ケース蓋体（ケース上面）を除くと共に、ケース蓋体に設けられる周波数同調棒を省略している。
【０００４】
図５、図６において、１１は金属製のケースで、このケース１１の内部を内部壁１２によって複数、この例では２つの空間に分け、各空間の中心に中心導体１３ａ、１３ｂを設けて同軸形共振器１４ａ、１４ｂを構成している。上記ケース１１の両側部には、入出力端子１５ａ、１５ｂが設けられ、この入出力端子１５ａ、１５ｂには、ケース１１内に設けられる入出力ループ１６ａ、１６ｂがそれぞれ接続される。
【０００５】
上記同軸形共振器１４ａ、１４ｂを隔てる内部壁１２には、切欠きによる結合窓１７が設けられており、この結合窓１７から漏れる電磁界により各同軸形共振器１４ａ、１４ｂが電磁界結合するようになっている。また、結合窓１７の部分には、結合ループ１８が設けられており、この結合ループ１８を鎖交する電磁界によって同軸形共振器１４ａ、１４ｂ間の電磁界結合量を可変できるように、すなわち、結合ループ１８を変形させて鎖交する電磁界の量を変化させることにより、同軸形共振器１４ａ、１４ｂ間の電磁界結合量を調整できるように構成されている。
【特許文献１】実開平３−２８５６２号公報
【発明の開示】
【発明が解決しようとする課題】
【０００６】
上記同軸形帯域通過フィルタは、フィルタ特性の調整を行なう際に通過周波数の違い等により同軸形共振器１４ａ、１４ｂ間の結合量を変化させる必要があるが、この結合量の調整は上記したように結合ループ１８を変形させて鎖交する電磁界の量を変化させることにより行なっている。
【０００７】
上記電磁界結合量の調整を行なう場合、従来ではケース１１に穴を開け、この穴から内部の結合ループ１８を変形させて行なっている。しかし、この調整方法では、内部の状態を確認しながら調整することができず、微調整が非常に困難であった。
【０００８】
また、調整の再現度が非常に低く、一度調整したものを他のフィルタで再現することが困難である。また、結合ループ１８を変形させているので、調整を過剰に行なうと、結合ループ１８を損傷する恐れがあった。更に、結合ループ１８を交換する場合には、結合ループ１８がケース１１の内面に固定されているため、一度分解してから交換する必要があった。  
上記のように従来の同軸形帯域通過フィルタは、調整作業等が非常に手間が掛かり、作業効率が悪いという問題があった。
【０００９】
本発明は上記の課題を解決するためになされたもので、結合ループによる電磁界結合量の調整をきわめて容易に行なうことができ、作業効率を著しく向上し得る同軸形帯域通過フィルタを提供することを目的とする。
【課題を解決するための手段】
【００１０】
本発明は、同軸形共振器を多段に接続して構成された同軸形帯域通過フィルタにおいて、各段間に対応するケース部分に設けられる結合ループ装着用ネジ穴と、前記ネジ穴に螺着されるループ台座と、前記同軸形共振器の段間に位置するように前記ループ台座により支持される結合ループとを具備し、前記結合ループを前記ループ台座と共に回転させることにより前記同軸形共振器間の結合量を調整することを特徴とする。
【発明の効果】
【００１１】
本発明によれば、ループ台座に設けた結合ループの回転によって同軸形共振器間の結合量を調整することができるので、外部からの調整が容易で、かつ微調整も可能であり、調整作業を短時間で効率的に行なうことができる。また、調整の再現性を向上することができると共に、結合ループを交換する場合もフィルタを分解せずにきわめて容易に行なうことができる。
【発明を実施するための最良の形態】
【００１２】
以下、図面を参照して本発明の一実施形態を説明する。  
図１は本発明の一実施形態に係る同軸形帯域通過フィルタの前面側を断面して示す結合ループ装着前の斜視図、図２は結合ループを装着した後の状態を示す斜視図である。また、図３は同軸形帯域通過フィルタを正面方向から見た断面図である。なお、図１ないし図３ではケース蓋体（ケース上面）を除くと共に、ケース蓋体に設けられる周波数同調棒を省略して示している。
【００１３】
図１ないし図３において、１１は金属製のケースで、このケース１１の内部を内部壁１２によって複数例えば２つの空間に分け、各空間の中心に中心導体１３ａ、１３ｂを設けて同軸形共振器１４ａ、１４ｂを構成している。上記中心導体１３ａ、１３ｂは、円筒状に形成されており、上部から中心導体１３ａ、１３ｂ内に周波数同調棒（図示せず）を挿入し、その挿入量によって共振周波数を調整する。上記周波数同調棒は、例えばケース１１の上部を覆うケース蓋体（図示せず）にナット等により取り付けられ、外部から回転操作することによって中心導体１３ａ、１３ｂ内への挿入量を調整できるようになっている。
【００１４】
また、上記ケース１１の両側部には、入出力端子１５ａ、１５ｂが設けられ、この入出力端子１５ａ、１５ｂには、ケース１１内に設けられる導電性部材からなる入出力ループ１６ａ、１６ｂがそれぞれ接続される。この入出力ループ１６ａ、１６ｂは、それぞれ一端が入出力端子１５ａ、１５ｂに接続され、他端がケース１１に接続される。
【００１５】
上記同軸形共振器１４ａ、１４ｂを隔てる内部壁１２には、切欠きによる結合窓１７が設けられており、この結合窓１７から漏れる電磁界により各同軸形共振器１４ａ、１４ｂが電磁界結合するようになっている。そして、上記結合窓１７の下部に位置するケース１１の部分には、結合ループ装着用のネジ穴２１が設けられる。このネジ穴２１は、例えばケース１１の一部を上方、すなわちケース内側方向に円筒状に立ち上げて形成している。上記ネジ穴２１の部分は、別体に形成したものをケース１１に装着しても良い。上記ネジ穴２１には、導電性部材からなるループ台座２２が螺着される。このループ台座２２には、結合ループ１８が予め装着されている。この結合ループ１８は、図２、図３に示すようにループ台座２２が上記ネジ穴２１に差し込まれた際にケース１１内に挿入されて結合窓１７の部分に位置するように設けられる。
【００１６】
上記ループ台座２２は、ネジ穴２１に差し込んだ状態で回転することができ、その回転によって同軸形共振器１４ａ、１４ｂから結合ループ１８を鎖交する電磁界の量を変化させ、同軸形共振器１４ａ、１４ｂ間の電磁界結合量を調整できるようになっている。
【００１７】
上記ループ台座２２は、図４（ａ）、（ｂ）に示すように構成され、ケース１１に設けられたネジ穴２１に差し込んで結合ループ１８の位置を調整した後、その位置を固定できるようになっている。なお、図４の（ａ）はループ台座２２の断面図、（ｂ）は同底面図であり、結合ループ１８を省略して示している。  
上記ループ台座２２は、円柱状に形成されており、その外周にネジ溝２３が形成される。また、ループ台座２２には、側部中央から中心部を通り、反対側の側部に向かってスリット２４が形成される。
【００１８】
更に、ループ台座２２の下面中央部には、透孔２５がスリット２４の近傍まで設けられ、この透孔２５の先端部からネジ穴２６がスリット２４部分を貫通して設けられる。そして、このネジ穴２６に位置固定用ネジ（図示せず）を差し込んで締め付けることにより、スリット２４を中心にしてループ台座２２の上部と下部の間隔が狭くなり、外周に形成されているネジ溝２３がケース１１のネジ穴２１に圧接されて固定されるようになっている。また、ループ台座２２の下面には、中心部を通るように溝２７が設けられる。この溝２７は、治具を使用してループ台座２２を回転させるためのものである。
【００１９】
上記実施形態によれば、ループ台座２２に設けた結合ループ１８の回転によって同軸形共振器１４ａ、１４ｂ間の結合量を調整することができるので、外部からの調整が容易であり、かつ微調整も可能であるので、調整作業を短時間で効率的に行なうことができる。また、ループ台座２２に結合ループ１８の位置を示す印を付けることで、外部からでも容易に内部の結合ループ１８の位置状態を知ることができので、同じフィルタ特性に調整する調整の再現性を向上することができる。更に、結合ループ１８を交換する場合、ケース１１からループ台座２２を簡単に取り外すことができるので、フィルタを分解せずにきわめて容易に交換することができる。
【００２０】
なお、上記実施形態では、２段の同軸形帯域通過フィルタを構成した場合について示したが、更に多段に構成する場合であっても、上記実施形態と同様にして実施し得るものである。
【００２１】
また、本発明は、上記実施形態そのままに限定されるものではなく、実施段階ではその要旨を逸脱しない範囲で構成要素を変形して具体化できるものである。
【図面の簡単な説明】
【００２２】
【図１】本発明の一実施形態に係る同軸形帯域通過フィルタの前面側を断面して示す結合ループ装着前の斜視図である。
【図２】同実施形態において、結合ループを装着した状態を示す斜視図である。
【図３】同実施形態に係る同軸形帯域通過フィルタを正面方向から見た断面図である。
【図４】（ａ）は同実施形態におけるループ台座部分の詳細を示す断面図、（ｂ）は同底面図である。
【図５】従来の同軸形帯域通過フィルタの前面側を断面して示す斜視図である。
【図６】従来の同軸形帯域通過フィルタを正面方向から見た断面図である。
【符号の説明】
【００２３】
１１…ケース、１２…内部壁、１３ａ、１３ｂ…中心導体、１４ａ、１４ｂ…同軸形共振器、１５ａ、１５ｂ…入出力端子、１６ａ、１６ｂ…入出力ループ、１７…結合窓、１８…結合ループ、２１…結合ループ装着用のネジ穴、２２…ループ台座、２３…ネジ溝、２４…スリット、２５…透孔、２６…ネジ穴、２７…溝。
【図１】
2006191379.tif 000003
【図２】
2006191379.tif 000004
【図３】
2006191379.tif 000005
【図４】
2006191379.tif 000006
【図５】
2006191379.tif 000007
【図６】
2006191379.tif 000008